(57)【要約】      （修正有）【課題】ユーザーが指定した記録材の種類をより適切に判別し、この指定記録材に対する印字条件を自動設定することができる画像形成装置を提供する。【解決手段】紙種検出部４０４は、所定の設定条件に基づいて、用紙が搬送されると、用紙の搬送路に予め設けられたメディアセンサーの検出結果と、予め設けられた紙種検出テーブルとに基づいて、前記搬送される用紙の紙種を検出する。紙種判定部４０５は、前記検出された用紙の検出紙種が、前記設定条件で設定された用紙の設定紙種と一致するか否かを判定する。問い合わせ部４０６は、ユーザーに対して用紙の紙種を選択可能な紙種選択画面を表示して、ユーザーから所定の紙種の選択を問い合わせる。テーブル補正部４０７は、前記選択された用紙の選択紙種が前記検出紙種と異なる場合に、前記紙種検出テーブルを、前記検出紙種が前記選択紙種になるように補正する。【選択図】図４
2016011997.tif 000002
【特許請求の範囲】
【請求項１】
所定の設定条件に基づいて、用紙が搬送されると、用紙の搬送路に予め設けられたメディアセンサーの検出結果と、予め設けられた紙種検出テーブルとに基づいて、前記搬送される用紙の紙種を検出する紙種検出部と、
前記検出された用紙の検出紙種が、前記設定条件で設定された用紙の設定紙種と一致するか否かを判定する紙種判定部と、
ユーザーに対して用紙の紙種を選択可能な紙種選択画面を表示して、ユーザーから所定の紙種の選択を問い合わせる問い合わせ部と、
前記選択された用紙の選択紙種が前記検出紙種と異なる場合に、前記紙種検出テーブルを、前記検出紙種が前記選択紙種になるように補正するテーブル補正部と
を備えることを特徴とする紙種検出装置。
【請求項２】
前記テーブル補正部は、前記紙種検出テーブルのうち、前記検出紙種に対応するメディアセンサーの検出結果を基準とする一定範囲の領域を、前記選択紙種を示す領域になるように、前記紙種検出テーブルの各紙種を示す領域を区画する閾値を補正する
請求項１に記載の紙種検出装置。
【請求項３】
所定の設定条件に基づいて、用紙が搬送されると、用紙の搬送路に予め設けられたメディアセンサーの検出結果と、予め設けられた紙種検出テーブルとに基づいて、前記搬送される用紙の紙種を検出するステップと、
前記検出された用紙の検出紙種が、前記設定条件で設定された用紙の設定紙種と一致するか否かを判定するステップと、
ユーザーに対して用紙の紙種を選択可能な紙種選択画面を表示して、ユーザーから所定の紙種の選択を問い合わせるステップと、
前記選択された用紙の選択紙種が前記検出紙種と異なる場合に、前記紙種検出テーブルを、前記検出紙種が前記選択紙種になるように補正するステップと
を備えることを特徴とする紙種検出方法。
【発明の詳細な説明】
【技術分野】
【０００１】
本発明は、紙種検出装置及び紙種検出方法に関する。
【背景技術】
【０００２】
従来、複写機、プリンタ、複合機等の画像形成装置において、ユーザーに収納された記録材（用紙）の種類を検出し、当該検出した記録材の種類に基づいて画像形成の条件を調整する技術が存在する。前記記録材の種類を検出する技術として、例えば、特開２００８−９６６１７号公報（特許文献１）には、記録材の特性を測定し該記録材の種類を判別する記録材判別手段と、記録材判別手段の判別結果に基づき印字条件を自動的に決定する印字条件決定手段とを備えた画像形成装置が開示されている。この装置では、記録材判別手段による判別結果に対してユーザーにより指定される記録材の種類に基づき、記録材を判別するための記録材の特性に関する記録材判別閾値を調整する調整モードを有する。これにより、膨大な種類の記録材が存在する中で、ユーザーが指定した記録材をより適切に判別することを可能とし、この指定記録材に対する印字条件を自動設定することができるとしている。
【先行技術文献】
【特許文献】
【０００３】
【特許文献１】特開２００８−９６６１７号公報
【発明の概要】
【発明が解決しようとする課題】
【０００４】
しかしながら、特許文献１に記載の技術では、前記調整モード中のみしか、前記記録材判別閾値を調整しないため、通常の印刷時には、前記記録材の判定に要するメディアセンサーの判定結果と前記記録材判別閾値とに基づいて記録材の種類を検出する。そのため、通常の印刷時に、前記記録材判別閾値に間違いが存在した場合に、間違った記録材の種類に対応して印刷されてしまい、前記調整モードの効果が阻害されるという課題がある。
【０００５】
そこで、本発明は、前記課題を解決するためになされたものであり、記録材の種類の検出精度を向上させることが可能な紙種検出装置及び紙種検出方法を提供することを目的とする。
【課題を解決するための手段】
【０００６】
上述した課題を解決し、目的を達成するために、本発明に係る紙種検出装置は、紙種検出部と、紙種判定部と、問い合わせ部と、テーブル補正部とを備える。紙種検出部は、所定の設定条件に基づいて、用紙が搬送されると、用紙の搬送路に予め設けられたメディアセンサーの検出結果と、予め設けられた紙種検出テーブルとに基づいて、前記搬送される用紙の紙種を検出する。紙種判定部は、前記検出された用紙の検出紙種が、前記設定条件で設定された用紙の設定紙種と一致するか否かを判定する。問い合わせ部は、ユーザーに対して用紙の紙種を選択可能な紙種選択画面を表示して、ユーザーから所定の紙種の選択を問い合わせる。テーブル補正部は、前記選択された用紙の選択紙種が前記検出紙種と異なる場合に、前記紙種検出テーブルを、前記検出紙種が前記選択紙種になるように補正する。
【０００７】
又、本発明に係る紙種検出方法は、所定の設定条件に基づいて、用紙が搬送されると、用紙の搬送路に予め設けられたメディアセンサーの検出結果と、予め設けられた紙種検出テーブルとに基づいて、前記搬送される用紙の紙種を検出するステップを備える。又、前記検出された用紙の検出紙種が、前記設定条件で設定された用紙の設定紙種と一致するか否かを判定するステップを備える。又、ユーザーに対して用紙の紙種を選択可能な紙種選択画面を表示して、ユーザーから所定の紙種の選択を問い合わせるステップを備える。更に、前記選択された用紙の選択紙種が前記検出紙種と異なる場合に、前記紙種検出テーブルを、前記検出紙種が前記選択紙種になるように補正するステップを備える。
【発明の効果】
【０００８】
本発明の紙種検出装置及び紙種検出方法によれば、記録材の種類の検出精度を向上させることが可能となる。
【図面の簡単な説明】
【０００９】
【図１】本発明の実施形態に係る複合機の概略模式図である。
【図２】本発明の実施形態に係る複合機の操作部の概略模式図である。
【図３】本発明の実施形態に係る複合機の制御系ハードウェアの構成を示す図である。
【図４】本発明の実施形態に係る複合機の機能ブロック図である。
【図５】本発明の実施形態の実行手順を示すためのフローチャートである。
【図６】用紙の搬送路におけるメディアセンサー、レジストローラの配置関係を示す図（図６Ａ）と、紙種検出テーブルを補正する場合の一例を示す図（図６Ｂ）とである。
【図７】紙種検出テーブルを補正する場合の一例を示す図（図７Ａ）と、紙種検出テーブルを補正する場合の一例を示す図（図７Ｂ）とである。
【発明を実施するための形態】
【００１０】
以下に、添付図面を参照して、本発明の実施形態について説明し、本発明の理解に供する。尚、以下の実施形態は、本発明を具体化した一例であって、本発明の技術的範囲を限定する性格のものではない。又、フローチャートにおける数字の前に付されたアルファベットＳはステップを意味する。
【００１１】
以下に、本発明の実施形態の一例として、画像形成装置について説明する。尚、本発明の画像形成装置は、例えば、コピー、スキャナ、プリンタ等の機能を備えた複合機（ＭＦＰ：Ｍｕｌｔｉ  Ｆｕｎｃｔｉｏｎ  Ｐｅｒｉｐｈｅｒａｌ）が該当する。
【００１２】
複合機１００は、図１に示すように、操作部１０１を介してユーザーから印刷ジョブの設定条件を受け付けて、各部（画像読取部、画像形成部、用紙搬送部、定着部等）を駆動し、当該印刷ジョブを提供する。
【００１３】
画像読取部は、原稿台の原稿の画像データを読み取り、用紙搬送部は、前記設定条件に対応する紙種の用紙を搬送し、画像形成部は、前記画像データに対応するトナー像を当該用紙に転写し、定着部は、当該トナー像を用紙に定着させる。当該トナー像が定着した用紙は印刷物として排紙させる。
【００１４】
操作部１０１は、図２に示すように、タッチパネル２０１（操作パネル）、操作キー２０２が設けられており、ユーザーは、前記操作部１０１を用いて、所定の指示を入力したり、所定の操作画面を確認したりする。前記タッチパネル２０１では、所定の画面が表示されたり、当該表示された画面内のキーを押下することによって、当該押下されたキーに対応する情報が入力されたりする。前記操作キー２０２では、例えば、テンキー、スタートキー、クリアキー、ストップキー、リセットキー、電源キー等が備えられている。
【００１５】
複合機１００の制御回路は、図３に示すように、ＣＰＵ（Ｃｅｎｔｒａｌ  Ｐｒｏｃｅｓｓｉｎｇ  Ｕｎｉｔ）３０１、ＲＯＭ（Ｒｅａｄ  Ｏｎｌｙ  Ｍｅｍｏｒｙ）３０２、ＲＡＭ（Ｒａｎｄｏｍ  Ａｃｃｅｓｓ  Ｍｅｍｏｒｙ）３０３、ＨＤＤ（Ｈａｒｄ  Ｄｉｓｋ  Ｄｒｉｖｅ）３０４、各駆動部に対応するドライバ３０５を内部バス３０６によって接続している。
【００１６】
複合機１００のＣＰＵは、例えば、ＲＡＭを作業領域として利用し、ＲＯＭ、ＨＤＤ等に記憶されているプログラムを実行し、当該実行結果に基づいてドライバ、画像読取部１０１からのデータや指示、信号、命令等を授受し、図１に示した各駆動部の動作を制御する。又、駆動部以外の後述する各部（図４に示す）についても、ＣＰＵが、各プログラムを実行することで当該各部を実現する。ＲＯＭ、ＲＡＭ、ＨＤＤ等には、以下に説明する各部を実現するプログラムやデータが記憶されている。
【００１７】
次に、図４、図５を参照しながら、本発明の実施形態に係る構成及び実行手順について説明する。先ず、ユーザーが、複合機１００の電源を投入すると、当該複合機１００の表示受付部４０１が、操作部１０１のタッチパネル上に操作画面を表示して、印刷ジョブの受付を開始する。ユーザーは、原稿台に原稿を載置して、例えば、紙種「普通紙」等の所望の設定条件を入力して、スタートキーを選択すると、表示受付部４０１が、当該設定条件に対応する印刷ジョブを受け付ける（図５：Ｓ１０１）。
【００１８】
そして、表示受付部４０１が、その旨を印刷部４０２に通知し、当該通知を受けた印刷部４０２は、前記印刷ジョブの実行を開始する（図５：Ｓ１０２）。印刷部４０２が前記印刷ジョブの実行を開始すると、例えば、画像読取部で原稿台の原稿の画像データの読み取りを開始し、画像形成部でトナー像の形成を開始する。
【００１９】
又、印刷部４０２は、その旨を用紙搬送部４０３に通知し、当該通知を受けた用紙搬送部４０３は、前記印刷ジョブの設定条件に基づいて、ユーザーが指定した紙種の用紙を収納する給紙カセットを検索し、当該検索した給紙カセットから用紙を搬送する（図５：Ｓ１０３）。
【００２０】
ここで、用紙搬送部４０３が用紙の搬送を開始すると、その旨を紙種検出部４０４に通知し、当該通知を受けた紙種検出部４０４は、用紙の搬送路に予め設けられたメディアセンサーの検出結果と、予め設けられた紙種検出テーブル（記録材判定閾値テーブル）とに基づいて、前記搬送される用紙の紙種を検出する（図５：Ｓ１０４）。
【００２１】
ここで、紙種検出部４０４が検出する方法は、特に限定は無い。例えば、図６Ａに示すように、給紙カセットから伸びた搬送路６００の下流の所定位置に、用紙を搬送する搬送ローラ６０１が設けられ、この搬送ローラ６０１から下流の位置に、用紙の斜行を補正するレジストローラ６０２が設けられる。この搬送ローラ６０１とレジストローラ６０２との間の位置で、用紙の裏面側の位置にメディアセンサー６０３が設けられる。
【００２２】
このメディアセンサー６０３の構成は、特に限定は無い。前記メディアセンサー６０３は、例えば、光照射のための光源ＬＥＤと、当該光源ＬＥＤの光を結像するための第一の結像レンズと、前記第一の結像レンズで結像された光が（用紙の）表面（裏面）から反射して、その反射光を結像するための第二の結像レンズと、前記結像された反射光を撮影するためのＣＭＯＳセンサーとを備える。前記光源ＬＥＤからの光は、前記第一の結像レンズを介して前記表面に照射され、当該表面からの反射光は、前記第二の結像レンズを介して集光されて、前記ＣＭＯＳセンサーに結像される。これにより、前記メディアセンサー６０３から、用紙の表面の測定値を検出出来る。又、メディアセンサー６０３の測定値は、用紙の紙種を検出可能な値であれば、特に限定は無い。例えば、用紙の表面の反射率（％）と透過率（％）とを採用することが出来る。
【００２３】
前記レジストローラ６０２の下流の位置に、転写ローラ６０４及び感光体ドラム６０５が設けられ、ここで、用紙にトナー像が転写される。転写ローラ６０４の下流の位置に、定着部６０６（加熱ローラ及び加圧ローラ）が設けられ、トナー像を用紙に定着させる。定着部６０６の下流の位置に、搬送ローラ６０７が設けられ、トナー像が定着された用紙は印刷物として排紙される。
【００２４】
さて、用紙の斜行を補正するために、当該用紙がレジストローラ６０２で停止した場合に、紙種検出部４０４は、前記メディアセンサー６０３を起動して、当該用紙の表面の反射率（％）及び透過率（％）を取得する。次に、紙種検出部４０４は、所定のメモリーに予め記憶された紙種検出テーブルを参照する。ここで、紙種検出テーブル６０８は、例えば、図６Ｂに示すように、反射率（％）を横軸とし、透過率（％）の逆数（透過し難さを示すパラメーター）を縦軸として、所定の紙種（例えば、普通紙、厚紙、グロス紙（光沢紙））を示す反射率及び透過率の逆数を所定の閾値６０９で区画している。紙種検出部４０４は、前記取得された反射率及び透過率の逆数を、前記紙種検出テーブル６０８にプロットし、当該プロットされた反射率及び透過率の逆数を含む領域が示す特定の紙種を、前記搬送される用紙の紙種として検出する。
【００２５】
紙種検出部４０４が紙種の検出を完了すると、その旨を紙種判定部４０５に通知し、当該通知を受けた紙種判定部４０５は、前記検出された用紙の検出紙種が、前記印刷ジョブの設定条件で設定された用紙の設定紙種と一致するか否かを判定する（図５：Ｓ１０５）。
【００２６】
前記判定の結果、前記検出紙種が前記設定紙種と一致する場合（図５：Ｓ１０５ＹＥＳ）、ユーザーが設定した用紙の紙種と、現実に搬送されている用紙の紙種とが一致するため、特に問題ない。そのため、紙種判定部４０５は、特に何もせず、処理を完了する。この場合は、印刷部４０２は、通常通りに、画像形成部でトナー像を前記搬送中の用紙に転写し、定着部でトナー像を当該用紙に定着し、印刷を実行する（図５：Ｓ１０６）。そして、用紙搬送部４０３は、印刷物として排紙し、印刷ジョブの実行が完了する。
【００２７】
一方、前記判定の結果、前記検出紙種が前記設定紙種と一致しない場合（図５：Ｓ１０５ＮＯ）、ユーザーが設定した用紙の紙種と、現実に搬送されている用紙の紙種とが一致しないため、問題となる。そのため、紙種判定部４０５は、用紙搬送部４０３に通知し、当該通知を受けた用紙搬送部４０３は、前記搬送中の用紙の搬送を停止させる（図５：Ｓ１０７）。例えば、用紙搬送部４０３が、前記レジストローラ６０２で用紙の搬送を停止させた状態とする。
【００２８】
次に、紙種判定部４０５は、その旨を問い合わせ部４０６に通知し、当該通知を受けた問い合わせ部４０６は、ユーザーに対して用紙の紙種を選択可能な紙種選択画面を表示して、ユーザーから所定の紙種の選択を問い合わせる（図５：Ｓ１０８）。
【００２９】
ここで、問い合わせ部４０６が問い合わせる方法は特に限定は無い。例えば、図２に示すように、問い合わせ部４０６が紙種選択画面をタッチパネル上に表示する。この紙種選択画面には、検出紙種と設定紙種とが異なる旨のメッセージと、用紙の紙種の選択を促すメッセージと、紙種を示す紙種キー（例えば、普通紙キー、厚紙キー、グロス紙キー等）とが表示される。
【００３０】
例えば、ユーザーは、前記紙種選択画面を見ながら、所望の用紙の紙種を示す特定の紙種キー（例えば、普通紙キー）を選択すると、問い合わせ部４０６が、ユーザーから所定の紙種の選択を受け付けて、その旨をテーブル補正部４０７に通知する。当該通知を受けたテーブル補正部４０７は、前記選択された用紙の選択紙種が前記検出紙種と異なる場合に、前記紙種検出テーブル６０８を、前記検出紙種が前記選択紙種になるように補正する。
【００３１】
ここで、テーブル補正部４０７が補正する方法は、特に限定は無い。例えば、テーブル補正部４０７は、先ず、前記選択紙種が前記検出紙種と異なるか否かを判定する（図５：Ｓ１０９）。
【００３２】
前記判定の結果、前記選択紙種（例えば、普通紙）が前記検出紙種（例えば、普通紙）と異ならない（一致する）場合（図５：Ｓ１０９ＮＯ）、前記検出紙種で印刷を継続しても、ユーザーは自己の意図した印刷物を手に入れることが出来る。そこで、テーブル補正部４０７は、前記印刷ジョブの設定条件の設定紙種を前記検出紙種に変更して（図５：Ｓ１１０）、その旨を印刷部４０２及び用紙搬送部４０３に通知する。当該通知を受けた印刷部４０２及び用紙搬送部４０３は、印刷ジョブの実行を再開する。具体的には、用紙搬送部４０３は、停止した用紙の搬送を再開し、印刷部４０２は、上述のように、印刷を実行する（図５：Ｓ１０６）。これにより、ユーザーは、所望の紙種の印刷物を手に入れることが出来る。
【００３３】
一方、前記判定の結果、前記選択紙種（例えば、普通紙）が前記検出紙種（例えば、厚紙）と異なる場合（図５：Ｓ１０９ＹＥＳ）、前記検出紙種を決定した紙種検出テーブル６０８は、何らかに理由により誤りである。そこで、テーブル補正部４０７は、図６Ｂに示すように、前記紙種検出テーブル６０８のうち、前記検出紙種に対応する前記反射率及び透過率の逆数の測定点（メディアセンサーの検出結果）を基準とする一定範囲の領域を、前記選択紙種を示す領域になるように、前記紙種検出テーブル６０８の各紙種を示す領域を区画する閾値を補正する（図５：Ｓ１１１）。
【００３４】
テーブル補正部４０７が前記閾値６０９を補正する方法は、特に限定は無い。例えば、図６Ｂに示すように、前記選択紙種が普通紙であり、前記検出紙種が厚紙である場合の測定点ａでは、テーブル補正部４０７が、当該測定点ａを中心とした円を形成し、当該円の内部の領域が、前記選択紙種を示す領域に重複すると、テーブル補正部４０７が、当該円ａ１を、前記選択紙種を示す新たな閾値として補正する。尚、前記円ａ１の大きさ（半径）は、ユーザーに確認させた上で、ユーザーが指定することで、段階的に変更するよう構成しても良い。例えば、前記円ａ１の半径を、ユーザーが指定する所定倍率（例えば、１．５倍、２倍等）に拡張するようにしても良い。
【００３５】
ここで、テーブル補正部４０７が、前記円ａ１を、前記選択紙種を示す閾値とする際に、当該円ａ１の内部の領域の一部ａ２が、前記選択紙種（例えば、普通紙）以外の紙種（例えば、グロス紙）を示す領域に重複する場合、当該円ａ１の内部の領域の一部ａ２を、前記選択紙種を示す閾値として採用しない。これにより、前記紙種検出テーブル６０８を精度高く補正することが出来る。このような場合は、例えば、前記測定点ａが、各紙種を示す閾値の集中する点（例えば、普通紙、厚紙、グロス紙の三重点）に近接する場合に生じる。
【００３６】
又、例えば、前記選択紙種が普通紙であり、前記検出紙種がグロス紙である場合の測定点ｂでは、テーブル補正部４０７が、当該測定点ｂから、最も近接する既存の閾値６０９に下ろした垂線と交わる交点ｂ１を中心とし、当該測定点ｂと当該交点ｂ１との距離に所定倍率（例えば、１．２倍、１．５倍等）を乗算した値ｂ２を半径として、当該半径の半円ｂ３を、前記選択紙種を示す新たな閾値として補正する。尚、前記倍率は、例えば、ユーザーが指定することで、段階的に変更するよう構成しても良い。
【００３７】
又、例えば、前記選択紙種が厚紙であり、前記検出紙種がグロス紙である場合の測定点ｃでは、テーブル補正部４０７が、当該測定点ｃを焦点とした楕円を形成し、当該楕円の内部の領域が、前記選択紙種を示す領域に重複すると、テーブル補正部４０７が、当該楕円ｃ１を、前記選択紙種を示す新たな閾値として補正する。尚、前記測定点ｃが示す焦点は、楕円に存在する２つの焦点のうち、前記検出紙種を示す領域に含まれる焦点である。
【００３８】
又、既に、前記紙種検出テーブル６０８が補正された後に、更に、テーブル補正部４０７が、当該紙種検出テーブル６０８を補正する場合は、下記のようになる。即ち、図７Ａに示すように、前記選択紙種が普通紙であり、前記検出紙種が厚紙である場合の測定点ｄにおいて、この測定点ｄの近傍に、前記検出紙種を示す先の閾値ｅ１を形成した測定点ｅが存在する場合、テーブル補正部４０７が、後の測定点ｄに基づいて、そのまま、前記選択紙種を示す後の閾値ｄ１を補正すると、当該後の測定点ｄによる後の閾値ｄ１と、前記先の閾値ｅ１とが重複する。そこで、例えば、後に測定された測定点ｄを、先の測定点ｅよりも優先して、テーブル補正部４０７が、後の測定点ｄに基づいて形成した後の閾値ｄ１を、前記先の閾値ｅ１よりも上位に設定し、当該後の閾値ｄ１と重複する先の閾値ｅ１を削除する。これにより、測定点が近傍する場合であっても、整合性を取ることが出来る。尚、上述では、後の測定点ｄを優先するよう構成したが、ユーザーの選択により、先の測定点ｅを優先するよう構成しても良い。
【００３９】
又、先の測定点ｅも後の測定点ｄも均等に取り扱う場合は、下記のようになる。即ち、図７Ｂに示すように、後の測定点ｄにより形成される後の閾値ｄ１が、先の測定点ｅにより形成される先の閾値ｅ１と重複する場合、テーブル補正部４０７が、後の測定点ｄと先の測定点ｅとの間の距離を算出し、当該算出した距離を均等に分ける均等点ｆを算出し、当該均等点ｆに、後の測定点ｄと先の測定点ｅとを結ぶ線に垂直な線ｇを設ける。そして、テーブル補正部４０７は、前記線ｇを、後の閾値ｄ１と先の閾値ｅ１とを分ける閾値ｇ１として補正する。これにより、先の測定点ｅも後の測定点ｄも均等に取り扱うことが出来る。
【００４０】
又、後の測定点ｈが、先の測定点ｉの先の閾値ｉ１よりも外側の領域に生じた場合は、下記のようになる。即ち、図７Ｂに示すように、後の測定点ｈが、先の閾値ｉ１よりも外側の領域にある場合、テーブル補正部４０７が、後の測定点ｈに基づいて、上述した方法で後の閾値ｈ１を補正すると、当該後の閾値ｈ１を含む領域が飛び値となる。そこで、テーブル補正部４０７が、前記後の測定点ｈにより形成される後の閾値ｈ２が、先の閾値ｉ１を含むように拡張しながら形成する。例えば、図７Ｂでは、テーブル補正部４０７が、後の測定点ｈを焦点とした楕円形の後の閾値ｈ２とする。これにより、飛び値の発生を防止して、精度高い紙種検出を実現出来る。
【００４１】
さて、テーブル補正部４０７が補正を完了すると、前記印刷ジョブの設定条件の設定紙種を前記選択紙種に変更して（図５：Ｓ１１２）、その旨を印刷部４０２及び用紙搬送部４０３に通知する。当該通知を受けた印刷部４０２及び用紙搬送部４０３は、上述と同様に、印刷ジョブの実行を再開する（図５：Ｓ１０６）。これにより、紙種検出テーブル６０８の補正が自動的に完了され、用紙の紙種検出を間違えることを防止することが出来る。
【００４２】
尚、上述の印刷ジョブの実行は、一枚の用紙に印刷ジョブを実行することを想定しており、例えば、複数枚の用紙に印刷ジョブを実行する場合は、一枚毎に、Ｓ１０３からＳ１０６まで実行される。
【００４３】
又、本発明の実施形態では、複合機１００が紙種検出装置を内蔵しているが、紙種検出部４０４、紙種判定部４０５、問い合わせ部４０６、テーブル補正部４０７を備える紙種検出装置として提供しても構わない。
【００４４】
又、本発明の実施形態では、複合機１００が各部を備えるよう構成したが、当該各部を実現するプログラムを記憶媒体に記憶させ、当該記憶媒体を提供するよう構成しても構わない。当該構成では、前記プログラムを紙種検出装置に読み出させ、当該紙種検出装置が前記各部を実現する。その場合、前記記録媒体から読み出されたプログラム自体が本発明の作用効果を奏する。さらに、各部が実行するステップをハードディスクに記憶させる方法として提供することも可能である。
【産業上の利用可能性】
【００４５】
以上のように、本発明に係る紙種検出装置及び紙種検出方法は、複合機はもちろん、複写機、プリンタ等の画像形成装置や紙種検出装置単品に有用であり、記録材の種類の検出精度を向上させることが可能な紙種検出装置及び紙種検出方法として有効である。
【符号の説明】
【００４６】
１００  複合機
４０１  表示受付部
４０２  印刷部
４０３  用紙搬送部
４０４  紙種検出部
４０５  紙種判定部
４０６  問い合わせ部
４０７  テーブル補正部
【図１】
2016011997.tif 000003
【図２】
2016011997.tif 000004
【図３】
2016011997.tif 000005
【図４】
2016011997.tif 000006
【図５】
2016011997.tif 000007
【図６】
2016011997.tif 000008
【図７】
2016011997.tif 000009